(57)【要約】    【課題】  建物の構造、内装仕上げ仕様などに応じて必要となる隙間を確保しうる電気蓄熱暖房器を提供する。    【解決手段】電気により蓄熱される蓄熱部と、この蓄熱部と熱交換した温風を供給する送風手段と、制御部と、これら蓄熱部、送風手段及び制御部を収容する箱状のシェルターと、このシェルターの背面及び壁面の間に隙間を空けるため、シェルターの背面に設けられるスペーサーとを具えた電気蓄熱暖房器であって、  前記スペーサーは、シェルターの背面から後方に突出するとともに背後の壁面に当接しうる当り部、及びこの当り部のシェルターの背面からの突出長さを可変とすることによりシェルターの背面と壁面との隙間を加減する調節手段を有することを特徴とする。【選択図】  図１
2006329533.tif 000002
【特許請求の範囲】
【請求項１】
電気により蓄熱される蓄熱部と、この蓄熱部と熱交換した温風を供給する送風手段と、制御部と、これら蓄熱部、送風手段及び制御部を収容する箱状のシェルターと、このシェルターの背面及び壁面の間に隙間を空けるため、シェルターの背面に設けられるスペーサーとを具えた電気蓄熱暖房器であって、
前記スペーサーは、シェルターの背面から後方に突出するとともに背後の壁面に当接しうる当り部、及びこの当り部のシェルターの背面からの突出長さを可変とすることによりシェルターの背面と壁面との隙間を加減する調節手段を有することを特徴とする電気蓄熱暖房器。
【請求項２】
前記スペーサーは、巾方向をシェルターの背面に対して直角に配されて、前記シェルターの背面と壁面との隙間をのびる帯板状の長尺材と、この長尺材をシェルターの背面に螺着するネジ部材と、このネジ部材に外挿し、かつシェルターの背面及び長尺材の一方の側縁部の間に介装される筒状のカラーとを有し、
前記当り部は、前記長尺材の壁面を向いた他方の側縁部により形成され、
前記調節手段は、シェルターの背面と壁面との隙間を加減するカラーにより形成されることを特徴とする請求項１記載の電気蓄熱暖房器。
【請求項３】
前記カラーは、標準長さに形成され、かつ前記シェルターの背面と壁面との間に形成する隙間寸法に応じた個数が前記ネジ部材に外挿されることを特徴とする請求項１又は２記載の電気蓄熱暖房器。
【請求項４】
前記カラーは、必要長さに切断容易に構成されたカラー部材を用いて形成することを特徴とする請求項１又は２記載の電気蓄熱暖房器。
【請求項５】
前記スペーサーは、巾方向をシェルターの背面に対して直角に配されて、前記シェルターの背面と壁面との隙間をのびる帯板状の長尺材と、タカナット部の一端側に同芯のネジ部を一体に設けたナット部材と、ネジ部材とを有し、
前記長尺材は、シェルターの背面にネジ部を螺合して固定されたナット部材のタカナット部の後端部に、ネジ部材を用いて螺着され、
前記調節手段は、シェルターの背面と壁面との隙間を加減するナット部材により形成されることを特徴とする請求項１記載の電気蓄熱暖房器。
【発明の詳細な説明】
【技術分野】
【０００１】
本発明は、壁際に設置され、電気により蓄熱した熱を用いて温風暖房を行なう電気蓄熱暖房器に関する。
【背景技術】
【０００２】
料金が１／３と割安な深夜電力を利用して熱エネルギーを蓄熱し、昼間の時間帯にその熱を使用する電気蓄熱システムは、コストメリットに加え、非燃焼方式であるため、防災面、衛生面での安全性が高いこと等から、種々の装置が開発され普及している。
【０００３】
この種電気蓄熱システムの一つとして、レンガなど耐火性蓄熱体を内蔵した機器を室内に設置し、夜間に蓄熱された熱を利用して温風を発生させる電気蓄熱暖房器が提案されている（例えば、特許文献１参照）。
【０００４】
【特許文献１】特開２００１−９１０５６号公報
【発明の開示】
【発明が解決しようとする課題】
【０００５】
しかしながら、室内に設置して使用される電気蓄熱暖房器は、蓄熱体を断熱材を用いて被覆して機器表面の温度上昇を抑制しているものの、ある程度の高温化は不可避である。しかも、この種の温風吹き出し方式暖房機器は、室内全体をループ状に循環する空気経路を形成するため、室内の使い勝手などから壁際に設置して使用されることが多い。この場合、暖房機器の背面から放熱効率が低下して高温化するため、壁クロスなど内装仕上げ材、及びこれを貼着する接着剤が変色して見栄えを損ない、或いは直下の床仕上げ材が高温化により乾燥して、反り、目隙きなどの変形を生じることもある。そして最悪の場合、近くのカーテンなど可燃物が発火する危険性もある。
【０００６】
そこで、図７に示すように、機器本体ａの背面ｂにスペーサーｄを取り付けることにより、機器本体ａと壁面ｅとの間に一定寸法の隙間を強制的に設け、放熱を促進して過度な温度上昇を防止することが考えられる。しかしながら、放熱に必要な隙間寸法は、建物の構造、壁面を仕上げる内装材の不燃性、難燃性のレベルに応じて異なる。その結果、電気蓄熱暖房器の出張りを抑えて使い勝手を高める必要性もあり、スペーサーｄの大きさは、最小限必要な小さな隙間寸法に合わせて設計される傾向がある。そのためスペーサーｄを設けたとしても建物の構造、壁面の仕様などの条件によっては、前記内装の変色、床面の変形などの不具合を生じる可能性が残る。
【０００７】
本発明は、スペーサーに壁面との隙間寸法を加減する調節手段を設けること基本とし、建物の構造、内装仕上げ仕様などに応じて必要となる隙間を確保しうる電気蓄熱暖房器の提供を課題としている。
【課題を解決するための手段】
【０００８】
前記目的を達成するために、請求項１に係る発明は、電気により蓄熱される蓄熱部と、この蓄熱部と熱交換した温風を供給する送風手段と、制御部と、これら蓄熱部、送風手段及び制御部を収容する箱状のシェルターと、このシェルターの背面及び壁面の間に隙間を空けるため、シェルターの背面に設けられるスペーサーとを具えた電気蓄熱暖房器であって、前記スペーサーは、シェルターの背面から後方に突出するとともに背後の壁面に当接しうる当り部、及びこの当り部のシェルターの背面からの突出長さを可変とすることによりシェルターの背面と壁面との隙間を加減する調節手段を有することを特徴とする。
【０００９】
請求項２に係る発明のスペーサーは、巾方向をシェルターの背面に対して直角に配されて、前記シェルターの背面と壁面との隙間をのびる帯板状の長尺材と、この長尺材をシェルターの背面に螺着するネジ部材と、このネジ部材に外挿し、かつシェルターの背面及び長尺材の一方の側縁部の間に介装される筒状のカラーとを有し、前記当り部は、前記長尺材の壁面を向いた他方の側縁部により形成され、前記調節手段は、シェルターの背面と壁面との隙間を加減するカラーにより形成されることを特徴とする。
【００１０】
請求項３に係る発明のカラーは、標準長さに形成されるとともに前記シェルターの背面と壁面との間に形成する隙間寸法に応じた個数が前記ネジ部材に外挿され、また請求項４に係る発明のカラーは、必要長さに切断容易に構成されたカラー部材を用いて形成することを特徴とする。
【００１１】
請求項５に係る発明では、前記スペーサーは、巾方向をシェルターの背面に対して直角に配されて、前記シェルターの背面と壁面との隙間をのびる帯板状の長尺材と、タカナット部の一端側に同芯のネジ部を一体に設けたナット部材と、ネジ部材とを有し、前記長尺材は、シェルターの背面にネジ部を螺合して固定されたナット部材のタカナット部の後端部に、ネジ部材を用いて螺着され、前記調節手段は、ナット部材により形成されることを特徴とする。
【発明の効果】
【００１２】
請求項１に係る発明は、調節手段により、スペーサーのシェルター背面からの突出長さを調整できるため、建物の構造、内装仕上げ仕様に応じて必要となる隙間が確保できる。従って壁面は、防災上の安全性を維持できることは勿論、熱の影響による変色など見栄えを低下させることを防止できる。
【００１３】
請求項２に係る発明では、建物の構造、内装仕上げ仕様に応じた長さのカラーを用いることにより、必要充分な隙間を確保できる。しかも、小物パーツであるカラーについて数種類の長さを準備するだけで、長尺材は共通して使用できるため、部材の種類を減じることができ、部材加工の生産性を向上できるとともに積算、物流等の管理業務を軽減でき、また未送、誤送のトラブルも減少する。
【００１４】
請求項３に係る発明では、カラーについても、標準長さの一種類に集約できるため、施工性が向上し、部材品種を減じて製造、物流などの効率を向上でき、また請求項４に係る発明のように、カラー部材を分割して必要長さのカラーを設けると、スペーサーのシェルター背面からの突出長さを簡単に調節できる。
【００１５】
請求項５に係る発明では、タカナット部の長さが異なる複数のナット部材を適宜使い分けることにより、シェルターの背面と壁面との隙間の大きさを簡単に調節できる。また、必要隙間に応じて、複数のネジ部材を連結して使用することにより、一種類のネジ部材を用いて、スペーサーの突出長さを調節することもできる。
【発明を実施するための最良の形態】
【００１６】
以下、本発明の実施の一形態を、図示例とともに説明する。図１に示すように、電気蓄熱暖房器１は、深夜電力を利用して蓄熱される蓄熱部２と、温風を供給する送風手段３と、制御部４と、全体を覆うシェルター５と、このシェルター５の背面５Ｂに設けられるスペーサー６とを具える。
【００１７】
前記シェルター５は、図１に示すように、前後に薄い箱状をなし、右側面下部、前面下部に各々吸気口２３、温風吹出し口２５が設けられる。シェルター５の内部中央に蓄熱チャンバー２１が形成され、この蓄熱チャンバー２１の右側に制御室２２を設け、蓄熱チャンバー２１の下には、吸気口２３と蓄熱チャンバー２１とを連通させる給気路２４が形成される。また蓄熱チャンバー２１の前面には、蓄熱チャンバー２１の上端部と温風吹出し口２５とを連通させる送気路２６が形成される。
【００１８】
前記蓄熱部２は、シェルター５の蓄熱チャンバー２１内に形成され、本形態では、直方体状のレンガ２７を数列複数段に積み上げて形成したものを例示している。そしてこのレンガ２７の積層体の中には、一段毎或いは二段毎にシーズヒーター２８が配設され、深夜電力により蓄熱できるように構成されている。前記蓄熱部２は、その全周がロックウールなどの断熱材（図示せず）により覆われて、熱ロスを防止するとともにシェルター５表面の過熱を防止している。
【００１９】
蓄熱部２は、このほかコンクリートブロック、砕石など無機質材のほか、潜熱蓄熱材を用いることもできる。また深夜電力を利用する加熱手段としては、前記シーズヒーター２８のほか、カートリッジヒータ、ハンドヒータ、スペースヒータ、遠赤外線ヒータを用いることもできる。或いは、ヒートポンプを用いることもでき、この場合熱効率が更に２〜３倍向上するため、ランニングコスト及び環境負荷を低減しうる点で好ましい。
【００２０】
前記送風手段３は、本形態では図１に示すように、制御室２２の下部に設置されたシロッコファン２９を用いて形成される。このシロッコファン２９は、吸気口２３から吸込んだ空気を前記給気路２４を介して蓄熱チャンバー２１へ送り込む。そして、て蓄熱チャンバー２１に送り込まれた空気は、前記レンガ２７の表面、及び図示されないレンガ２７に形成された縦孔内を上昇しつつ、レンガ２７に蓄熱された熱により加熱されて温風となり、次いで前記送気路２６を下降して前記温風吹出し口２５から室内へ吹き出される。送風手段３は、シロッコファン２９の他、プロペラファン、クロスフローファン、ターボファンなどを用いることもできる。
【００２１】
前記制御部４は、本形態では、マイコン回路を内蔵した制御ユニット３０により形成され、制御室２２の上部に取り付けられる。この制御ユニット３０は、シェルター５の右側面上部に並設された蓄熱操作ツマミ３１、室温操作ツマミ３２からの操作入力を受けるとともに、蓄熱部２及び温風吹出し口２５に設けた温度センサ（図示せず）、室温センサの計測データに基づき、配線端子板４２に接続されたシーズヒーター２８、前記シロッコファン２９をコントロールしている。また制御部４に内蔵されたタイマ機能により、午後１１時から午前７時の間に深夜電力を用いて必要量の熱エネルギーを蓄熱する。そして昼間には、設定された運転条件に従い、送風手段３の運転により温風を供給して暖房することができる。
【００２２】
前記の如く断熱材で覆われるものの、昼夜連続稼動する蓄熱部２からの熱が伝わり、特にシェルター５の背面５Ｂは、壁面Ｗと向き合うため、表面温度が上昇する。そこでシェルター５の背面５Ｂと壁面Ｗとの間に間隙を確保して放熱させるため、前記スペーサー６が設けられる。そしてこのスペーサー６は、シェルター５の背面５Ｂから後方に突出して壁面Ｗに当接し、これにより一定の隙間を確保しうる当り部７と、この当り部７のシェルター５の背面５Ｂからの突出長さを加減しうる調節手段１５とを有する。
【００２３】
また本形態のスペーサー６は、図２、３に示すように、シェルター５の背面５Ｂに配される長尺材８と、この長尺材８をシェルター５の背面５Ｂに取付けるビス９Ａからなるネジ部材９と、このビス９Ａに外挿するカラー１０とからなる。
【００２４】
前記長尺材８は、等間隔で並設された矩形状のスリット３４を有する本体８Ａの両側が直角に小長さで折れ曲げられ、巾Ｌ１の帯板状をなす。さらに本形態の長尺材８は、図２に示すように、シェルター５の背面５Ｂの上部に配置される上の長尺材８Ｕと、両側部に各々配置される縦の長尺材８Ｖ、８Ｖとから構成されるものを例示している。前記上の長尺材８Ｕは、その両側部に、側方へのびた上の接続片３５Ｕ、３５Ｕが形成される。他方縦の長尺材８Ｖには、上端部が内側に直角に折れ曲がった縦の接続片３５Ｖが設けられるとともに、シェルター５の背面５Ｂに向く側縁部に、この背面５Ｂと平行な取付片３６が形成される。そして、前記上の接続片３５Ｕと、縦の接続片３５Ｖとをネジ４１により螺着することにより、上の長尺材８Ｕの両側部に縦の長尺材８Ｖ、８Ｖの上端部が門型状に連結される。
【００２５】
また前記ビス９Ａは、前記取付片３６の取付孔に挿通するとともにシェルター５の背面５Ｂの取付孔３３に螺合し、これによりシェルター５の背面５Ｂに前記長尺材８が取り付けられる。このとき長尺材８は、図３、４に示すように、その巾方向をシェルター５の背面５Ｂに対して直角に配され、かつシェルター５の背面５Ｂと壁面Ｗとの隙間に介装される。また本形態では、長尺材８の壁面Ｗに向き合う側縁部８Ｓにより当り部７が形成され、該当り部７が壁面Ｗに当接して隙間を確保している。
【００２６】
前記カラー１０は、図３に示すように、長さＬ２の円筒状をなし、前記取付片３６とシェルター５の背面５Ｂとの間においてビス９Ａに外挿される。そしてビス９Ａの締め付けにより、長尺材８がカラー１０を介してシェルター５の背面５Ｂに固定される。このとき図４に示すように、長尺材８の当り部７のシェルター５の背面５Ｂからの突出長さＬ３は、前記長尺材８の巾Ｌ１と、カラー１０の長さＬ２との合計となるため、同じ長尺材８を使用しても、異なる長さのカラー１０を用いることにより、前記突出長さＬ３を変化させ、シェルター５の背面５Ｂと、壁面Ｗとの隙間を調節することができる。その結果、建物の構造、内装仕上げ仕様などの諸条件に応じて必要となる大きさの隙間を形成できるため、防災上の安全性が確保されることは勿論、壁仕上げ材、床面などが熱の影響により、変色、変形することがなく、見栄えの良い外観を維持しうる。
【００２７】
しかも本形態では、小物パーツであるカラー１０に関して数種類の長さのものを準備するだけで、長尺材８は共通化できる。そのため部材品種を削減できて、部材加工の生産性を向上するとともに積算、物流等の管理業務を軽減し、また未送、誤送のトラブルも減少しうる。なお本形態では、カラー１０により調節手段１５が構成されている。
【００２８】
図５（Ａ）は、本発明の他の実施形態に使用するカラー１０を例示している。本形態のカラー１０は、一端側に挿通孔の内径よりも大径でかつ小深さの円形凹部３７、他端側に円形凸部３８を設けるとともに、標準長さＬ４（例えば１５ｍｍ程度）に形成される。そして、複数個のカラー１０を直列に配置するとともに円形凹部３７と円形凸部３８とを嵌合連結し、前記ビス９Ａに外挿することにより、前記シェルター５の当り部７の突出長さを調節でき、建物の構造、内装仕上げ仕様などの諸条件に応じた隙間を確保しうる。本形態では、長尺材８に加えてカラー１０も標準長さに集約されるため、部材、パーツ類の品種が減少して施工性、物流管理などの工数を削減し、生産を含めたトータルコストを低減できる。
【００２９】
図５（Ｂ）は、更に他の実施形態を例示している。本形態では、長尺な円筒状の本体３９の外周面に切断に用いる環状の溝４０、４０が隔設されたカラー部材１１を用い、選択した溝４０部分において切断することにより必要長さのカラー１０が得られる。カラー部材１１は例えば、ポリスチレン樹脂、ポリプロピレン樹脂、ポリエチレンテレフタレート樹脂などのプラスチック、アルミニウムなどを用い、かつ前記溝４０が設けられた箇所の肉厚は極薄く形成されるため、工具を用いることなく素手で容易に切断できるように構成される。また前記溝４０は、例えば１０ｍｍ程度の小ピッチにより隔設され、或いは例えば１０ｍｍ、１５ｍｍ、２０ｍｍ等の如く間隔を漸増させて形成しても良い。このように本形態では、カラー部材１１を切断して必要長さのカラー１０を簡単に得ることができ、前記シェルター５の背面５Ｂと、壁面Ｗとの隙間調節を容易に行える点で好ましい。
【００３０】
図６は、更に他の実施形態を例示している。本形態のスペーサー６は、前記と同様に構成される長尺材８と、ナット部材１４と、ネジ部材９とから構成される。前記ナット部材１４は、一端側にのみ開口した螺孔１２Ａを有するタカナット部１２と、タカナット部１２の他端側から同芯にのびるネジ部１３とからなる。本形態では、シェルター５の背面の取付孔３３にネジ部１３を螺合して取り付けたナット部材１４の螺孔１２Ａに、長尺材８の取付片３６の取付孔に挿通したネジ部材９が螺合することにより、長尺材８がナット部材１４のタカナット部１２を介してシェルター５の背面５Ｂに固定される。このように本形態では、タカナット部１２の長さが異なる複数のナット部材１４を適宜選択して用いることにより、シェルター５の背面５Ｂと壁面Ｗとの隙間を簡単に調節できる。
【００３１】
更に本形態のナット部材１４は、二個以上を直列に連結して使用することができ、この場合には、一方のナット部材１４のネジ部１３を他方のナット部材１４の螺孔１２Ａに螺合して一体化される。このように複数のネジ部材９を連結して使用すると、一種類のネジ部材９によりスペーサー６の突出長さを自在に調節することができる点で好ましい。なお本形態においては、ナット部材１４により調節手段１５が構成される。
【００３２】
尚、叙上の説明は本発明の実施の形態を例示したものである。従って本発明の技術的範囲はこれに何ら限定されるものではなく、前記した実施の形態の他にも、各種の変形例が含まれる。
【図面の簡単な説明】
【００３３】
【図１】本発明の一実施の形態を例示する一部切り欠き斜視図である。
【図２】その分解斜視図である。
【図３】その要部拡大斜視図である。
【図４】その側面図である。
【図５】（Ａ）はカラーの他の実施形態を例示する斜視図であり、（Ｂ）は更に他の実施形態に使用されるカラー部材を例示する斜視図である。
【図６】更に他の実施形態の要部拡大斜視図である。
【図７】従来例の側面図である。
【符号の説明】
【００３４】
１      電気蓄熱暖房器
２      蓄熱部
３      送風手段
４      制御部
５      シェルター
５Ｂ    背面
６      スペーサー
７      当り部
８      長尺材
８Ｓ    側縁部
９      ネジ部材
１０      カラー
１１      カラー部材
１２      タカナット部
１２Ｂ    後端面
１３      ネジ部
１４      ナット部材
１５      調節手段
Ｗ      壁面
【図１】
2006329533.tif 000003
【図２】
2006329533.tif 000004
【図３】
2006329533.tif 000005
【図４】
2006329533.tif 000006
【図５】
2006329533.tif 000007
【図６】
2006329533.tif 000008
【図７】
2006329533.tif 000009